(57)【特許請求の範囲】
【請求項１】
ポータル管理サーバが提供する、ネットワークに接続する際に表示されるポータルサイトに関する情報を携帯端末に提供するポータルサイトデータ提供装置であって、
前記ポータルサイトデータ提供装置は、コンビニエンスストアなどのユーザの出先に設置され、ユーザに対して所定の情報を表示する表示手段を備えると共に、種々のポータルサイトの内容を表すポータル内容情報が予め記憶されたポータル内容情報記憶装置から前記ポータル内容情報を読み出して前記表示手段に表示する表示制御手段、を備え、
前記表示手段に表示されたポータル内容情報に基づいてユーザにて選択特定されたポータルサイトの内容を表すポータル特定情報をユーザから受け付ける特定情報受付手段と、
前記ポータル特定情報手段が受け付けた前記ポータル特定情報に基づいて特定されるポータルサイトにアクセス可能なアドレスデータを当該アドレスデータが予め記憶されたアドレスデータ記憶装置から読み出して、その読み出したアドレスデータを、前記携帯端末から取り外し可能な記録媒体に記憶させる、或いは前記携帯端末に内蔵された記憶媒体に記憶させるアドレスデータ記憶手段とを有することを特徴とするポータルサイトデータ提供装置。
【請求項２】
前記ポータル内容情報記憶装置に記憶された前記ポータル内容情報は、予めポータルサイトを介してアクセス可能な種々のウェブサイトに関する情報である、ことを特徴とする請求項１記載のポータルサイトデータ提供装置。
【請求項３】
前記ポータル特定情報受付手段は、前記表示部に表示されたウェブサイトを選択特定するウェブサイト特定情報を受け付ける機能を有し、
前記ウェブサイト特定情報にて選択特定された前記ウェブサイトにアクセス可能なアドレスデータに関連付けられた表示データが表されるポータル画面データを構築するポータル画面データ構築手段を備えると共に、
前記アドレスデータ記憶手段に換えて、前記ポータル画面データ構築手段にて構築されたポータル画面データを前記データ読み書き手段を介して前記携帯端末のメモリ媒体に記憶するポータル画面データ記憶手段、を備えたことを特徴とする請求項２に記載のポータルサイトデータ提供装置。
【請求項４】
前記ポータル特定情報受付手段は、前記表示部に表示されたウェブサイトを選択特定するウェブサイト特定情報を受け付ける機能を有すると共に、
ポータルサイトデータ提供装置は、前記ウェブサイト特定情報をポータル情報としてネットワーク上に存在するユーザのポータル情報を管理するポータル管理サーバに送信するポータル情報送信手段を備え、
前記アドレスデータ記憶手段にて前記携帯端末のメモリ媒体に記憶されるアドレスデータは、前記ポータル管理サーバに送信された前記ポータル情報に基づいて当該ポータル管理サーバにて構築されるポータルサイトにアクセス可能なアドレスデータである、ことを特徴とする請求項２に記載のポータルサイトデータ提供装置。
【請求項５】
前記ポータル情報送信手段は、前記入力手段に入力されたユーザ固有の識別データを前記ウェブサイト特定情報に含めて前記ポータル管理サーバに送信する、ことを特徴とする請求項４記載のポータルサイトデータ提供装置。
【請求項６】
前記ポータルサイトデータ提供装置は、前記データ読み書き手段を介して前記携帯端末のメモリ媒体から当該メモリ媒体に予め記憶されたユーザ固有の識別データを読み出す識別データ読出手段を備えると共に、
前記ポータル情報送信手段は、前記識別データ読出手段にて読み出した前記識別データを前記ウェブサイト特定情報に含めて前記ポータル管理サーバに送信する、ことを特徴とする請求項４記載のポータルサイトデータ提供装置。
【請求項７】
ポータル管理サーバが提供する、ネットワークに接続する際に表示されるポータルサイトに関する情報をポータルサイトデータ装置を通して携帯端末に提供するポータルサイトデータ提供方法であって、
コンビニエンスストアなどのユーザの出先に設置されたポータルサイトデータ提供装置を有し、
ユーザによる前記ポータルサイトデータ提供装置の画面操作によりユーザが選択したポータルサイトの内容を特定するポータル特定情報をユーザから受け付けるポータル特定情報受付工程と、
前記受け付けたポータル特定情報に基づいて特定されるポータルサイトにアクセス可能なアドレスデータを当該アドレスデータが予め記憶されたアドレスデータ記憶装置から前記ポータルサイトデータ提供装置が読み出すアドレスデータ読み出し工程と、
前記読み出したアドレスデータを前記ポータルサイトデータ提供装置に備えられたデータ読み書き手段にて前記携帯端末に記憶するアドレスデータ記憶工程とを実行することを特徴とするポータルサイトデータ提供方法。
【請求項８】
ポータル管理サーバが提供する、ネットワークに接続する際に表示されるポータルサイトに関する情報をポータルサイトデータ装置を通して携帯端末に提供するポータルサイトデータ提供装置のコンピュータに、
コンビニエンスストアなどのユーザの出先に設置されたポータルサイトデータ提供装置の画面操作によりユーザが選択したポータルサイトの内容を特定するポータル特定情報をユーザから受け付ける機能と、
前記受け付けたポータル特定情報に基づいて特定されるポータルサイトにアクセス可能なアドレスデータを当該アドレスデータが予め記憶されたアドレスデータ記憶装置から前記ポータルサイトデータ提供装置が読み出す機能と、
前記読み出したアドレスデータを前記ポータルサイトデータ提供装置に備えられたデータ読み書き手段にて前記携帯端末に記憶する機能とを実行させることを特徴とするポータルサイトデータ提供用プログラム。
【請求項９】
ポータル管理サーバが提供する、ネットワークに接続する際に表示されるポータルサイトに関する情報をポータルサイトデータ提供装置から携帯端末に提供するポータルサイトデータ配信方法であって、
前記ポータルサイトデータ提供装置は、コンビニエンスストアなどのユーザの出先に設置されており、
ユーザによる前記ポータルサイトデータ提供装置の画面操作によりユーザが選択したポータルサイトの内容を特定するポータル特定情報をユーザから受け付け、
前記受け付けた前記ポータル特定情報に基づいて特定されるポータルサイトにアクセス可能なアドレスデータを当該アドレスデータが予め記憶されたアドレスデータ記憶装置から読み出して、ポータルサイトを表示する情報を前記携帯端末に記憶させることを特徴とするポータルサイト配信方法。
【請求項１０】
ユーザに対して所定の情報を表示する表示手段と、ユーザにて入力される情報を受け付ける入力手段と、前記携帯端末のメモリ媒体に対してデータの読み書きを行うデータ読み書き手段とを備えた、携帯端末を用いてネットワークに接続する際に表示されるポータルサイトに関する情報を当該携帯端末に提供するポータルサイトデータ提供装置と、
このポータルサイトデータ提供装置にネットワークを介して接続された、ポータルサイトを配信するポータル管理サーバとを有し、
前記ポータルサイトデータ提供装置が、予めポータルサイトを介してアクセス可能なウェブサイトの情報を含む種々のポータルサイトの情報を前記ポータル管理サーバから読み出して前記表示手段に表示する表示制御手段と、この表示されたウェブサイトを特定するウェブサイト特定情報を前記入力手段を介して受け付けて前記ポータル管理サーバに送信するウェブサイト特定情報受付手段と、このポータル特定情報に基づいて前記ポータルサーバにて構築されるポータルサイトにアクセス可能なアドレスデータを当該アドレスデータが予め記憶されたアドレスデータ記憶装置から読み出して前記データ読み書き手段を介して前記携帯端末のメモリ媒体に記憶するアドレスデータ記憶手段と、を備え、
前記ポータル管理サーバは、前記ポータルサイトデータ提供装置から送信されたポータル情報を受信して記憶するポータルサイト構築データ記憶手段と、前記携帯端末からのアクセスに応じて前記ポータル情報にて特定されるウェブサイトにアクセス可能な表示データが表されたポータルサイトを前記ポータルサイト構築データ記憶手段に記憶された情報に基づいて構築するポータルサイト構築手段と、この構築したポータルサイトの情報をアクセスしてきた携帯端末に送信するポータルサイト情報配信手段と、を備えたことを特徴とするポータルサイト提供システム。
【発明の詳細な説明】
【技術分野】
【０００１】
本発明は、ポータルサイト提供システムにかかり、特に、ユーザが利用することを希望するポータルサイトを表示するためのデータを提供するシステムに関する。また、当該システムを構成する各装置、及び、データ提供方法、プログラムに関する。
【背景技術】
【０００２】
近年、携帯電話機、PHS(Personal Handyphone System)又はPDA(Personal
Digital Assistant)等の携帯端末には、ネットワーク上のウェブサイトにアクセスする機能が標準的に備えられており、特定のコンテンツを取得することができる。具体的には、特定のプロトコルにてネットワーク上のウェブサイトにアクセスする通信機能を備え、また、予め最初にアクセスするインターネットの入り口となるポータルサイトのアドレスデータ（ＵＲＬ）が記憶されており、このアドレス先のポータルサイトにアクセスする。【０００３】
このようなポータルサイトでは、種々のカテゴリーに区分けされた他のウェブサイトへのアドレスデータ（リンク）を提供しており、ユーザはこれらのリンクを選択することで、希望する種々の情報を取得すべく、ウェブサイトにアクセスすることができる。【０００４】
【特許文献１】特開２００３−１４１１５４号公報
【特許文献２】特開２００３−３４５８２７号公報
【発明の開示】
【発明が解決しようとする課題】
【０００５】
しかしながら、従来における携帯端末には、購入時に最初にアクセスされるポータルサイトのアドレスデータ（ＵＲＬ）が予め記憶されているため、かかるポータルサイト以外のポータルサイトを利用する機会が減少する。特に、携帯電話などの操作方法が限られている携帯端末では、ウェブサイトにアクセスする際には新たにＵＲＬを入力することは困難であるため、別途、新たなサイトにアクセスすることは少なく、そのまま予め記憶されたポータルサイトを使用し続ける、ということとなる。ここで、予め携帯端末に記憶されているポータルサイトは、例えば、携帯電話の通信サービスを提供しているメーカ（キャリア）が開設するポータルサイトや、あるいは、携帯端末を製造しているメーカが開設するポータルサイトである。【０００６】
このような状況下では、上記予めアクセスされるよう設定されたポータルサイトがユーザにとって利用しやすいものであればよいが、必ずしも全てのユーザにとって使いやすいというわけではない。例えば、このようなサイトは万人向けに構成されているため、多くのカテゴリーのサイトへのリンクが含まれているため、その中からユーザが目的とするサイトを選び出すことは非常に困難である、という問題が生じる。さらに、携帯端末ではその表示画面のスペースが限られているため、あるカテゴリーを選択したとしても、その中で上位に位置するサイトのリンクしか表示されず、やはり目的のサイトを検索することが困難となる。【０００７】
一方で、検索サイトを用いて目的のサイトを検索する方法も考えられるが、携帯端末の操作部はキーの数が限られている上に各キーが小さいため、入力が困難であり、検索操作が容易でない。仮に検索をして、検索結果が多くヒットした場合、小さい表示画面でその結果全てを閲覧することも困難であり、上記同様の問題が生じる。【０００８】
そして、このような不都合を改善することを目的とする技術が、上記特許文献１乃至２に開示されている。これらは、いずれもポータルサイトを個人用にカスタマイズ可能な装置であって、ユーザ自身が頻繁にアクセスするサイトへのリンクのみを表示するポータルサイトを構築して、常にかかるサイトにアクセス、あるいは、そのようなサイト画面を表示することにより、容易にユーザが目的のサイトにアクセスすることが可能となる。【０００９】
しかしながら、上記特許文献１，２に開示されている技術を利用したとしても、個人用ポータルサイトを構築するための準備段階として、やはり目的のウェブサイトにアクセスしたり、あるいは、かかるサイトのＵＲＬを入力するなどの操作を携帯端末で行わなければならないため、依然として上記同様に操作が困難であるという問題が生じる。特に、携帯電話を購入したばかりのユーザにとってはポータルサイトをカスタマイズするという操作は困難であり、結局のところ予め用意されている通信キャリアや端末メーカのポータルサイトにアクセスすることとなり、上述した問題は解消されていない。【００１０】
本発明では、上記従来例の有する不都合を改善し、特に、ユーザが携帯端末にて操作することなく、インターネット接続時に、ユーザ自身が希望するポータルサイトを表示することができ、ユーザの携帯端末によるインターネット利用時の利便性の向上を図ることができるシステム、を提供することをその目的とする。
【課題を解決するための手段】
【００１１】
そこで、本発明であるポータルサイトデータ提供装置は、ユーザにて入力される情報を受け付ける入力手段と、携帯端末から取り出し可能なメモリ媒体を装着して当該メモリ媒体に対してデータの読み書きを行うデータ読み書き手段とを備え、携帯端末を用いてネットワークに接続する際に表示されるポータルサイトに関する情報を当該携帯端末のメモリ媒体に提供するポータルサイトデータ提供装置であって、
ポータルサイトの内容を特定するポータル特定情報を入力手段を介してユーザから受け付けるポータル特定情報受付手段と、このポータル特定情報に基づいて特定されるポータルサイトにアクセス可能なアドレスデータを当該アドレスデータが予め記憶されたアドレスデータ記憶装置から読み出してデータ読み書き手段を介して携帯端末のメモリ媒体に記憶するアドレスデータ記憶手段と、を備えた、という構成を採っている。【００１２】
また、同様に、ユーザにて入力される情報を受け付ける入力手段と、携帯端末を装着して当該携帯端末に内蔵されたメモリ媒体にデータの読み書きを行うデータ読み書き手段とを備え、携帯端末を用いてネットワークに接続する際に表示されるポータルサイトに関する情報を当該携帯端末のメモリ媒体に提供するポータルサイトデータ提供装置であって、
ポータルサイトの内容を特定するポータル特定情報を入力手段を介してユーザから受け付けるポータル特定情報受付手段と、このポータル特定情報に基づいて特定されるポータルサイトにアクセス可能なアドレスデータを当該アドレスデータが予め記憶されたアドレスデータ記憶装置から読み出してデータ読み書き手段を介して携帯端末のメモリ媒体に記憶するアドレスデータ記憶手段と、を備えた、という構成を採っている。【００１３】
また、上記構成に加えて、ユーザに対して所定の情報を表示する表示手段を備えると共に、種々のポータルサイトの内容を表すポータル内容情報が予め記憶されたポータル内容情報記憶装置からポータル内容情報を読み出して表示手段に表示する表示制御手段、を備え、
ポータル特定情報受付手段は、表示手段に表示されたポータル内容情報に基づいてユーザにて選択特定されたポータルサイトの内容を表すポータル特定情報をユーザから受け付ける、という構成を採っていると望ましい。【００１４】
このような構成にすることにより、まず、携帯端末を所有するユーザは、携帯端末を、あるいは、当該携帯端末に装着されるメモリ媒体を、ポータルサイトデータ提供装置のデータ読み書き手段にセットする。すると、ポータル内容情報記憶装置から読み出されたポータルサイトの内容情報が表示部に表示され、ユーザは、表示された内容を見て、操作手段を介してポータルサイトの内容を特定する情報を入力する。すると、この特定されたポータルサイトにアクセスするためのアドレスデータが、所定の記憶装置から読み出されて、携帯端末内のメモリ媒体や着脱自在なメモリ媒体に送信されて記憶される。従って、その後、携帯端末にてネットワーク上のウェブサイトにアクセスする際に、上記装置から提供されたアクセスデータに基づいて、ユーザが選択特定した内容を表すポータルサイトへのアクセスが可能となる。これにより、携帯端末にて事前に操作して、自己の希望するサイトへのリンクが用意されたポータルサイトを設定しておくことなく、自己の利用しやすいポータルサイトへのアクセスが可能となる。【００１５】
また、上記構成に加えて、ポータル内容情報記憶装置に記憶されたポータル内容情報は、予めポータルサイトを介してアクセス可能な種々のウェブサイトに関する情報である、という構成にするとよい。【００１６】
これにより、ユーザは、選択可能なポータルサイトがどのようなサイトであるか、ということを詳細に認識することができ、適切なポータルサイトを選択することができるため、さらなる利便性の向上を図ることができる。【００１７】
また、上記構成に加えて、ポータル特定情報受付手段は、表示部に表示されたウェブサイトを選択特定するウェブサイト特定情報を受け付ける機能を有し、
ウェブサイト特定情報にて選択特定されたウェブサイトにアクセス可能なアドレスデータに関連付けられた表示データが表されるポータル画面データを構築するポータル画面データ構築手段を備えると共に、
アドレスデータ記憶手段に換えて、ポータル画面データ構築手段にて構築されたポータル画面データをデータ読み書き手段を介して携帯端末のメモリ媒体に記憶するポータル画面データ記憶手段、を備えた、という構成を採っていると望ましい。【００１８】
これにより、ユーザにて選択された種々のウェブサイトへのアドレスデータのリンクが集められたポータル画面データが構築され、これが携帯端末に記憶される。従って、自己の選択したメニューであるウェブサイトへのリンクが表示されたポータル画面が携帯端末上に表示されるため、携帯端末にて事前に操作して自己の希望するサイトへのリンクが用意されたポータルサイトを設定しておくことなく、ネットワーク接続時に自己の利用しやすいポータル画面が表示され、これに表示されている各サイトへのアクセスが可能となる。【００１９】
さらに、上記構成に加えて、ポータル特定情報受付手段は、表示部に表示されたウェブサイトを選択特定するウェブサイト特定情報を受け付ける機能を有すると共に、
ポータルサイトデータ提供装置は、ウェブサイト特定情報をポータル情報としてネットワーク上に存在するユーザのポータル情報を管理するポータル管理サーバに送信するポータル情報送信手段を備え、
アドレスデータ記憶手段にて携帯端末のメモリ媒体に記憶されるアドレスデータは、ポータル管理サーバに送信されたポータル情報に基づいて当該ポータル管理サーバにて構築されるポータルサイトにアクセス可能なアドレスデータである、という構成にすると望ましい。【００２０】
このとき、ポータル情報送信手段は、入力手段に入力されたユーザ固有の識別データをウェブサイト特定情報に含めてポータル管理サーバに送信する、という構成にしてもよい。また、ポータルサイトデータ提供装置は、データ読み書き手段を介して携帯端末のメモリ媒体から当該メモリ媒体に予め記憶されたユーザ固有の識別データを読み出す識別データ読出手段を備えると共に、
ポータル情報送信手段は、識別データ読出手段にて読み出した識別データをウェブサイト特定情報に含めてポータル管理サーバに送信する、という構成にしてもよい。【００２１】
これにより、まず、ユーザにて選択された種々のウェブサイトと特定するウェブサイト特定情報がポータル管理サーバに記憶される。その後、ユーザが携帯端末に記憶されたアドレスデータに基づいてポータル管理サーバにアクセスすると、上記ウェブサイト特定情報を含むポータル情報に基づいて、そのウェブサイトへのリンクを含むポータル画面データがポータル管理サーバにて構築され、かかるポータルサイトが携帯端末に表示されることとなる。これにより、自己の選択したメニューからなるポータル画面を携帯端末に表示することができ、容易に各自のポータルサイトへのアクセスが可能となる。特に、ウェブサイト特定情報にユーザを識別するデータが含まれていることにより、ポータル管理サーバにはユーザ固有のポータルサイトが構築され、また、かかるユーザのアクセスに対してのみポータルサイトデータを送信することができ、さらなる利便性の向上を図ることができる。【００２２】
さらに、本発明では、上記構成において、携帯端末がＧＳＭ方式の携帯電話であり、携帯端末のメモリ媒体は、ＳＩＭカードであると望ましい。【００２３】
これにより、ユーザ固有の識別データが記憶されているＳＩＭカードは必ず携帯端末である携帯電話に装着されるものであり、これにポータルサイトへのアドレスデータが記憶されていることで、必ず携帯端末に記憶された状態となり、自己の希望するポータルサイトへのアクセスが確実となる。また、他の携帯電話を使用する際でも、必ずＳＩＭカードを装着することになるので、かかる場合にでも自己の希望するポータルサイトにアクセスすることができ、その利便性の向上を図ることができる。【００２４】
また、本発明は、携帯端末を用いてネットワークに接続する際に表示されるポータルサイトに関する情報を当該携帯端末のメモリ媒体に記憶するよう作動するポータルサイトデータ提供装置によるポータルサイトデータ提供方法であって、
ポータルサイトデータ提供装置がポータルサイトの内容を特定するポータル特定情報を入力手段を介してユーザから受け付けるポータル特定情報受付工程と、このポータル特定情報に基づいて特定されるポータルサイトにアクセス可能なアドレスデータを当該アドレスデータが予め記憶されたアドレスデータ記憶装置からポータルサイトデータ提供装置が読み出すアドレスデータ読み出し工程と、このアドレスデータをポータルサイトデータ提供装置に備えられたデータ読み書き手段にて携帯端末のメモリ媒体に記憶するアドレスデータ記憶工程と、を有し、
少なくともアドレスデータ記憶工程の前に、携帯端末からメモリ媒体を取り出してデータ読み書き手段に装着するメモリ媒体装着工程を備えた、という構成のポータルサイトデータ提供方法をも提供している。【００２５】
また、同様に、携帯端末を用いてネットワークに接続する際に表示されるポータルサイトに関する情報を当該携帯端末のメモリ媒体に記憶するよう作動するポータルサイトデータ提供装置によるポータルサイトデータ提供方法であって、
ポータルサイトデータ提供装置がポータルサイトの内容を特定するポータル特定情報を入力手段を介してユーザから受け付けるポータル特定情報受付工程と、このポータル特定情報に基づいて特定されるポータルサイトにアクセス可能なアドレスデータを当該アドレスデータが予め記憶されたアドレスデータ記憶装置からポータルサイトデータ提供装置が読み出すアドレスデータ読み出し工程と、このアドレスデータをポータルサイトデータ提供装置に備えられたデータ読み書き手段にて携帯電話に内臓されたメモリ媒体に記憶するアドレスデータ記憶工程と、を有し、
少なくともアドレスデータ記憶工程の前に、データ読み書き手段が携帯電話に内蔵されたメモリ媒体にアクセス可能なよう携帯端末をデータ読み書き手段に装着する携帯端末装着工程を備えた、という構成のポータルサイトデータ提供方法をも提供している。【００２６】
さらに、本発明は、携帯端末を用いてネットワークに接続する際に表示されるポータルサイトに関する情報を当該携帯端末のメモリ媒体に提供するポータルサイトデータ提供装置に、
ポータルサイトの内容を特定するポータル特定情報を入力手段を介してユーザから受け付けるポータル特定情報受付手段、
このポータル特定情報に基づいて特定されるポータルサイトにアクセス可能なアドレスデータを当該アドレスデータが予め記憶されたアドレスデータ記憶装置から読み出して携帯端末のメモリ媒体に対してデータ読み書き手段を介してアドレスデータを記憶するアドレスデータ記憶手段、
とを実現するためのポータルサイトデータ提供用プログラムをも提供している。【００２７】
また、本発明では、携帯端末のメモリ媒体にポータルサイトにアクセス可能なアドレスデータを書き込むポータルサイトデータ提供装置にネットワークを介して接続され、アドレスデータのアクセス先となり、アクセスしてきた携帯端末にポータルサイトを提供するポータル管理サーバであって、
携帯端末に対して提供するポータルサイトを構成する情報を記憶するポータルサイト構築データ記憶手段と、ポータルサイトデータ提供装置にユーザにて入力されたポータルサイトを選択特定するポータル情報を当該ポータルサイトデータ提供装置から受信して記憶するポータル情報記憶手段と、携帯端末からのアクセスに応じてポータル情報にて特定されるポータルサイトを表示する情報をポータルサイト構築データ記憶手段から読み出して携帯端末に対して送信するポータルサイト情報配信手段と、を備えた、という構成のポータル管理サーバをも提供している。【００２８】
そして、同様に、携帯端末のメモリ媒体にポータルサイトにアクセス可能なアドレスデータを書き込むポータルサイトデータ提供装置にネットワークを介して接続され、アドレスデータのアクセス先となり、アクセスしてきた携帯端末にポータルサイトを提供するポータル管理サーバであって、
携帯端末に対して提供するポータルサイトを構成する情報を記憶するポータルサイト構築データ記憶手段と、ポータルサイトデータ提供装置にユーザにて入力されたウェブサイトを選択特定するポータル情報を当該ポータルサイトデータ提供装置から受信して記憶するポータル情報記憶手段と、携帯端末からのアクセスに応じてポータル情報にて特定されるウェブサイトにアクセス可能な表示データが表されたポータルサイトをポータルサイト構築データ記憶手段に記憶された情報に基づいて構築するポータルサイト構築手段と、この構築したポータルサイトを表示する情報を携帯端末に対して送信するポータルサイト情報配信手段と、を備えたポータル管理サーバをも提供している。【００２９】
そして、上記構成において、ポータル情報記憶手段は、ポータルサイトデータ提供装置に対して入力を行うユーザ固有の識別データをポータル情報と共に受信してこれらを関連付けて記憶する機能を有すると共に、
ポータルサイト構築手段は、携帯端末からアクセスを受けたときに当該携帯端末のユーザ固有の識別データを要求して取得する機能と、この取得した識別データとポータル情報記憶手段にて記憶した識別データとが一致するか否かを判別する機能と、一致したときに当該記憶されている識別データに関連付けられて記憶されているポータル情報に基づいてポータルサイトを構築する機能と、を備えた、という構成にすると望ましい。【００３０】
上記構成のポータル管理サーバによると、ユーザからアクセスがあったときにユーザにて選択設定されたポータルサイトの内容を表すポータル情報に基づいて、ユーザ毎のポータルサイトが構築され、当該ポータルサイトが配信される。従って、ユーザの携帯端末にはポータルサイトのＵＲＬだけを記憶しておけばよく、記憶容量の小さい携帯端末メモリの節約を図りつつ、上述したように、ユーザの利便性の向上を図ることができる。【００３１】
また、本発明では、アクセスしてきた携帯端末にポータルサイトを提供するポータル管理サーバによるポータルサイト配信方法であって、
ポータル管理サーバが、ネットワークを介して接続されたポータルサイトデータ提供装置にユーザにて入力されたポータルサイトを選択特定するポータル情報を当該ポータルサイトデータ提供装置から受信して記憶するポータル情報記憶工程と、携帯端末からのアクセスに応じてポータル情報にて特定されるウェブサイトにアクセス可能な表示データが表されたポータルサイトを当該ポータルサイトを構成する情報を予め記憶するポータルサイト構築データ記憶手段に記憶された情報に基づいて構築するポータルサイト構築工程と、この構築したポータルサイトを表示する情報を携帯端末に対して送信するポータルサイト情報配信工程と、を備えた、とするポータルサイト配信方法をも提供している。【００３２】
また、携帯端末のメモリ媒体にポータルサイトにアクセス可能なアドレスデータを書き込むポータルサイトデータ提供装置にネットワークを介して接続され、アドレスデータのアクセス先となり、アクセスしてきた携帯端末にポータルサイトを提供するポータル管理サーバに、
携帯端末に対して提供するポータルサイトを構成する情報を記憶するポータルサイト構築データ記憶手段、ポータルサイトデータ提供装置にユーザにて入力されたウェブサイトを選択特定するポータル情報を当該ポータルサイトデータ提供装置から受信して記憶するポータル情報記憶手段、携帯端末からのアクセスに応じてポータル情報にて特定されるウェブサイトにアクセス可能な表示データが表されたポータルサイトをポータルサイト構築データ記憶手段に記憶された情報に基づいて構築するポータルサイト構築手段、この構築したポータルサイトを表示する情報を携帯端末に対して送信するポータルサイト情報配信手段、とを実現するためのポータルサイト配信用プログラムをも提供している。【００３３】
さらに、本発明では、ユーザに対して所定の情報を表示する表示手段と、ユーザにて入力される情報を受け付ける入力手段と、携帯端末のメモリ媒体に対してデータの読み書きを行うデータ読み書き手段とを備えた、携帯端末を用いてネットワークに接続する際に表示されるポータルサイトに関する情報を当該携帯端末に提供するポータルサイトデータ提供装置と、
このポータルサイトデータ提供装置にネットワークを介して接続された、ポータルサイトを配信するポータル管理サーバと、を備えたポータルサイト提供システムであって、
ポータルサイトデータ提供装置が、予めポータルサイトを介してアクセス可能なウェブサイトの情報を含む種々のポータルサイトの情報をポータル管理サーバから読み出して表示手段に表示する表示制御手段と、この表示されたウェブサイトを特定するウェブサイト特定情報を入力手段を介して受け付けてポータル管理サーバに送信するウェブサイト特定情報受付手段と、このポータル特定情報に基づいてポータルサーバにて構築されるポータルサイトにアクセス可能なアドレスデータを当該アドレスデータが予め記憶されたアドレスデータ記憶装置から読み出してデータ読み書き手段を介して携帯端末のメモリ媒体に記憶するアドレスデータ記憶手段と、を備え、
ポータル管理サーバは、ポータルサイトデータ提供装置から送信されたポータル情報を受信して記憶するポータルサイト構築データ記憶手段と、携帯端末からのアクセスに応じてポータル情報にて特定されるウェブサイトにアクセス可能な表示データが表されたポータルサイトをポータルサイト構築データ記憶手段に記憶された情報に基づいて構築するポータルサイト構築手段と、この構築したポータルサイトの情報をアクセスしてきた携帯端末に送信するポータルサイト情報配信手段と、を備えたポータルサイト提供システムをも提供している。【００３４】
このようにすることにより、上述同様に作用し、上記目的を達成することができる。
【発明の効果】
【００３５】
本発明は、以上のように構成され機能するので、これによると、複雑な操作が困難な携帯端末の操作部を事前に操作して自己の希望するサイトへのリンクが用意されたポータルサイトを設定しておくことなく、自己の利用しやすいポータルサイトへのアクセスが可能となる、という従来にない優れた効果を有する。
【発明を実施するための最良の形態】
【００３６】
本発明は、携帯端末にユーザの希望するポータルサイト、あるいは、希望するウェブサイトへのリンクが含まれたポータルサイト、にアクセス可能なデータを、携帯電話を操作することなく、予め他の装置から提供を受けて記憶しておく、というものである。これにより、ユーザは、希望するポータルサイト及び当該ポータルサイトからリンクされている目的のウェブサイトに容易にアクセスして閲覧することができるため、利便性の向上を図ることができる。以下、本発明の構成について、各実施例を通じて説明する。
【実施例１】
【００３７】
本発明の第一の実施例を、図１乃至図２０を参照して説明する。図１乃至図３は、本発明の構成の概略を示すブロック図である。図４乃至図２０は、本発明の動作を示すフローチャート等の動作説明図である。【００３８】
（全体構成）
図１に示すように、本発明であるポータルサイト提供システムは、ユーザが所有する携帯端末である携帯電話１と、この携帯電話１に対して直接ポータルサイトデータを提供するポータルサイトデータ提供装置２と、このポータルサイトデータ提供装置２から提供されるデータやユーザ情報などを管理するネットワークＮを介して接続されたポータル管理サーバ３と、ウェブサイトを開設してコンテンツを配信しているコンテンツサーバ４と、をから成る。【００３９】
そして、本システムにおける動作概略を説明する。まず、携帯電話１のユーザは、携帯電話１を初めて契約してその利用を開始する際に、当該携帯電話１に組み込まれるＳＩＭカードなどのメモリ媒体をポータルサイトデータ提供装置２のカードリーダライタに差し込む。その後、ポータルサイトデータ提供装置２のディスプレイ上で自己の希望するウェブサイトを選択して、かかるサイトへのリンクがメニューとして表示されるポータルサイトデータをメモリ媒体に記憶させる。これにより、ユーザは、携帯電話を利用した際であっても、容易に自己の希望するサイトに関するデータを取得することができ、携帯端末であってもインターネット接続時の利便性のさらなる向上を図ることができ。以下、各構成、すなわち、各コンピュータについて詳述する。【００４０】
（携帯電話）
携帯電話１は、所定のユーザが有する携帯端末であって、ネットワーク接続機能を備えていることにより、種々のウェブサーバにアクセス可能であり、種々のコンテンツを取得可能なものである。【００４１】
また、携帯電話１は、特に、ＧＳＭ方式の電話機である。このＧＳＭ方式は、主にヨーロッパで用いられており、ＳＩＭカードと呼ばれる加入者を識別判断する方式のものである。また、このＳＩＭカードとは、Subscriber Identify Module（加入者識別モジュール）の略でＧＳＭサービスに加入すると発行され、ＧＳＭ方式の電話機にセットして使用することができる。このＳＩＭカードには、個々のカードに固有のＳＩＭ  ＩＤと、加入者の情報である電話番号、さらには、暗証番号となるＰＩＮコードなどが記憶されている。そして、ＧＳＭ方式の電話機はこのＳＩＭカードをセットして初めて使用できるという仕組みになっている。【００４２】
また、携帯電話１には、インターネットに接続したときに、ポータルサイトへのアドレスデータが予め記憶されている場合には、かかるアドレスデータを読み出して、そのＵＲＬにアクセスする機能を有する。そして、例えばポータルサイトのＵＲＬは、ＳＩＭカード内に記憶されており、当該ＳＩＭカード内の特定領域内のＵＲＬを読み出して、ポータルサイトにアクセスする機能を有する。このＳＩＭカードに記憶されるＵＲＬは、後述するように、ＳＩＭカードがポータルサイトデータ提供装置に予め挿入されて、記憶される。【００４３】
但し、携帯電話端末によっては、上述したようにＳＩＭカードに記憶されたＵＲＬを読み出さないものも存在する。従って、ユーザの端末機種によっては、ショートメールサービス（ＳＭＳ）にて配信されたＵＲＬを端末内のメモリに記憶し、かかるＵＲＬを参照してポータルサーバにアクセスする機能を有する。【００４４】
（ポータルサイトデータ提供装置）
図２に、ポータルサイトデータ提供装置を示す。図２（ａ）は、その外観の一例であって、図２（ｂ）はその構成を示す機能ブロック図である。なお、ポータルサイトデータ提供装置２は、例えば、携帯電話ショップやコンビニエンスストアなどに設置される。【００４５】
このポータルサイトデータ提供装置２は、上部にタッチパネル２６（入力手段）としての役割を果たすディスプレイ２１（表示手段）と、携帯電話１のＳＩＭカード１１がカードホルダ１１ａに装着された状態で挿入され、当該ＳＩＭカード１１の記憶領域に対してデータの読み書きを行うカードリーダライタ２２（データ読み書き手段）と、を備えている。また、その内部は、コンピュータにて構成されていて、演算部であるＣＰＵ２３と、記憶部であるメモリ２４あるいはハードディスクとが備えられている。さらには、この装置はネットワークＮを介して他のコンピュータに接続可能であり、これを実現するための通信装置である通信部２５を備えている。【００４６】
そして、ＣＰＵ２３には、メモリ２４に予め記憶されたプログラム２４ａが読み出されて組み込まれることにより、以下に示す各処理部が構築され、また、以下の動作説明時に説明する処理が実現される。すなわち、ＣＰＵ２３には、通信部２５を介して他のコンピュータとの通信を行う通信処理部２３ａと、カードリーダライタ２２に挿入されたＳＩＭカードに対して読み書き動作を行うリードライト処理部２３ｂと、ユーザからの入力に応じて希望するポータルサイトを設定するポータル編集部２３ｃと、ユーザにポータルサイトの構成などを表示して希望を要求する表示制御部２３ｄと、タッチパネルから成る入力部２６からの入力データを受け付ける入力受付部２３ｅと、が構築されている。【００４７】
特に、表示制御部２３ｄは、ポータルサイトの内容、すなわち、予めポータルサイトを介してアクセス可能な種々のウェブサイトに関する情報を含むポータル内容情報を、後述するポータル管理サーバから受信して、ディスプレイに表示する。また、上記ポータル編集部２３ｃは、入力受付部２３ｅを介して表示制御部２３ｄによる表示に応じてユーザにて選択されるポータルサイトを構成するウェブサイトの特定情報を含むポータル情報を受け付ける（ポータル特定情報受付手段）。さらに、このポータル編集部２３ｃは、受け付けたポータル情報を、リードライト処理部２３ｂにてカードリーダライタ２２に挿入されたＳＩＭカード１１から読み出されたユーザ固有の識別データであるＳＩＭ  ＩＤを含めて、ポータル管理サーバに送信する（ポータル情報送信手段）。また、リードライト処理部２３ｂは、上述したようにＳＩＭカードからＳＩＭ  ＩＤの読み出しを行うと共に、ポータル情報が確定したユーザのＳＩＭカード１１に、ポータルサイトへのアドレスデータと成るＵＲＬを書き込む（アドレスデータ記憶手段）。なお、このアドレスデータは、ポータル管理サーバ３に記憶されている予め定められたＵＲＬデータである。但し、後述するように、このＵＲＬが実際にＳＩＭカードに書き込まれる際には、当該ＵＲＬにＳＩＭ  ＩＤなどの識別データが加えられる。【００４８】
また、上述したポータル情報は、ポータル管理サーバ３にてこれに基づいてポータルサイトの構築が行われる。特に、アクセスしてきたユーザに対応したポータルサイトの構築が行われ、その携帯電話１にポータルサイト情報を送信する。なお、ＣＰＵによる各処理については動作説明時に詳述する。【００４９】
ここで、本発明におけるポータルサイトとは、携帯端末１にてインターネット接続を開始する際に表示されるサイトである。なお、一般的には、通信キャリアが開設するポータルサイトや、端末メーカが提供するサイト、さらには、各種検索エンジンを搭載したポータルサイトなどがある。但し、本発明では、ポータルサイトは必ずしもウェブサイトであることに限定されない。インターネット接続を開始する際に必ず表示される画面データであって、携帯端末に記憶されているデータであってもよい。【００５０】
（ポータル管理サーバ）
ポータル管理サーバは、上述したように、ポータルサイトデータ提供装置２に対して種々のデータを提供し、ユーザによってカスタマイズされたポータルサイトに関するデータを管理するサーバである。なお、図１には、記憶装置であるポータル管理データベース３１をポータル管理サーバ３と分離して図示しているが、サーバコンピュータであるポータル管理サーバ内に記憶されていてもよい。かかるポータル管理サーバ３（ポータル管理データベースを含む）の構成を、図３の機能ブロック図を参照して説明する。【００５１】
そして、ポータル管理サーバ３のＣＰＵには、特定のプログラムが組み込まれることにより、ポータルサイトデータ提供装置２に供給して当該装置２のディスプレイ２１に表示させるデータや、ユーザごとのポータルサイトを特定するポータル情報など、種々のデータを管理する機能を有している。具体的には、ポータルサイトデータ提供装置２とのデータの送受信及び携帯電話１からのアクセスに応じて構築したポータルサイトの配信を行う送受信部３２ｅ、ＳＩＭカードから読み出されたＰＩＮコードやユーザ固有の識別データであるＳＩＭ  ＩＤがユーザ登録されているかを調べるユーザ認証部３２ａ、ユーザごとに設定されるポータルの構成であるポータル情報を管理するポータル管理部３２ｂ、ポータル情報に基づいてポータルサイトの構築を行うポータルサイト構築部３２ｃ、さらには、ポータルに組み込むことのできるコンテンツ（ウェブサイト）を管理するコンテンツ管理部３２ｄ、が構築されている。これに伴い、ポータル管理データベース３１には、既にシステムを利用したことがあり登録されているユーザの登録情報を記憶するユーザデータ記憶部３１ａ、ポータルサイトを構築するための素材などのデータが記憶されたポータルサイト構築データ記憶部３１ｂ、ユーザごとのポータルサイトの構成を示すユーザ別ポータル情報記憶部３１ｃ、ユーザの携帯端末１に対して配信されるコンテンツが記憶されたコンテンツ記憶部３１ｄ、さらには、ポータルサイトデータ提供装置２にて表示される画面情報やその制御プログラムなどを含む提供装置用データ記憶部３１ｅ、が構築されている。なお、この提供装置用データ記憶部３１ｅには、ポータルサイトのアドレス先となるポータル管理サーバ３自身が開設しているサイトのＵＲＬが記憶されており、かかるＵＲＬはポータルサイトデータ提供装置２に供給されて、当該装置２にて携帯電話１のＳＩＭカード１１に書き込まれる。なお、各処理部による機能やデータの内容については、動作説明時に詳述する。【００５２】
（動作）
次に、上述したシステムの動作を、図４乃至図２０を参照して説明する。図４は、ポータルサイトデータ提供装置２の動作を示すフローチャートであり、図５は、その処理の一部であるポータル情報編集処理の動作を示すフローチャートである。また、図６はポータル管理サーバ３の動作を示すフローチャートであり、図７は、その処理の一部であるポータルサイト配信処理の動作を示すフローチャートである。図８乃至図１１は、システム全体の動作を示すシーケンス図である。図１２乃至図２０は、ポータルサイトデータ提供装置２のディスプレイ２１に表示される画面を示す図である。以下、主に、図８乃至図１１のシーケンス図に沿ってシステム全体の動作を説明する。そして、同時に、その詳細な動作を他の図を参照して説明する。【００５３】
（ポータルサイト提供装置の動作）
まず、携帯電話１のユーザは、携帯電話１を新規に契約すると、これに用いるＳＩＭカード１１を取得する。そして、初期状態では、ＳＩＭカード１１は、カードホルダ１１ａに取り付けられた状態になっている。なお、以下では、新規に契約したユーザを主に説明するが、既に本システムを利用したことがあるユーザについても説明する。その場合には、ＳＩＭカード１１を別途カードホルダ１１ａに装着して、ポータルサイトデータ提供装置２に挿入する。【００５４】
ユーザは、ＳＩＭカード１１に自己の希望するポータルサイトのアドレスデータを記憶させるべく、ポータルサイトデータ提供装置２を用いる。なお、ポータルサイトデータ提供装置２の動作は、ポータル管理サーバ３の提供装置用データ記憶部３１ｅに記憶されているデータが送受信部３２ｅを介して提供され（図８のステップＳ１０１）、ＣＰＵ２３に組み込まれることにより実現できる。例えば、ディスプレイに表示される画面データや、選択可能なポータルサイトのコース、各コースの内容、ポータルサイトに追加することが可能なウェブサイトに関するデータ、さらには、ポータルサイトにアクセスするためのアドレスデータも、ポータル管理サーバ３からポータルサイトデータ提供装置２に送信される。【００５５】
そして、ユーザがポータルサイトデータ提供装置２のディスプレイ２１に触れると、まず、ポータルサイトデータ提供装置２のディスプレイ２１には、オープニング画面として、図１２（ａ）に示すような画面が表示されている。そして、ユーザは、この画面の中央下に表示されているように、ＳＩＭカード挿入指示に従って（図８のステップＳ１０２）、ＳＩＭカードをカードリーダライタ２２（図２（ａ）参照）に挿入する（図８のステップＳ１０３，Ｓ１０４）。なお、オープニング画面において、画面左下に位置するボタンを選択すると、図１２（ｂ）に示すように、ポータルサイトに組み込むことが可能なコンテンツの新着情報が表示される。これらのコンテンツ新着情報も、ポータル管理サーバ３（コンテンツデータ記憶部３１ｄ）から提供されるものである。【００５６】
続いて、ＳＩＭカードが挿入されたポータルサイトデータ提供装置２は、図１３（ａ）に示すように、ユーザＵに対してＳＩＭカードのＰＩＮコードの入力を要求する（図８のステップＳ１０５）。そしてこれに応答してユーザがＰＩＮコードを入力すると（図８のステップＳ１０６）、これをポータルサイトデータ提供装置２では記憶保持すると共に、カードリーダライタ２２に挿入されているＳＩＭカード内に記憶されているＰＩＮコードを読み出し（図８のステップＳ１０７，Ｓ１０８）、ユーザにて入力されたものと一致しているか否かを調べる（図８のステップＳ１０９）。これにより、ＳＩＭカードユーザの認証処理が行われ（図８のステップＳ１）、ＳＩＭカードの保有者による適切な利用が図られ、セキュリティの向上を図ることができる。【００５７】
続いて、本人による操作であることがわかると、挿入されているＳＩＭカードから個々に固有のデータである「ＳＩＭ  ＩＤ」を読み出す（図８のステップＳ１１０，Ｓ１１１）。その後、読み出された情報は、ポータル管理サーバ３に送信され（８のステップＳ１１２）、ＳＩＭ  ＩＤ、及び、ＰＩＮコードを、登録ユーザとしてユーザデータ記憶部３１ａに記憶する（図８のステップＳ１１３）。このようにしてユーザ認証処理が行われる（図４のステップＳ２）。この認証処理が終了すると、ユーザのポータルサイトの編集処理が行われる（図４のステップＳ３）。かかる編集処理については、図５も参照して詳細に説明する。【００５８】
まず、上記読み出したＳＩＭ  ＩＤが、ポータル管理サーバ３のユーザデータ記憶部３１ａ内の登録ユーザデータを参照して、既に登録しているユーザであることがわかると（図５のステップＳ１１）、ＳＩＭ  ＩＤをキーに、かかるユーザが現在契約しているポータルサイトのポータル情報をユーザ別ポータル情報記憶部３１ｃを読み出して、この内容を確認的に表示する画面が示される（図１３（ｂ）参照、図５のステップＳ１２）。これに対してポータルサイトの内容に変更がなければ（図５のステップＳ１３にて否定判断）、現時点でのポータルサイトでよいか否かの確認へと進む（図５のステップＳ２５）。一方、変更要求がなされ（図５のステップＳ１３にて肯定判断）、ポータルサイトのコースを変更しない場合には（図５のステップＳ１４にて否定判断）、後述するステップＳ１９に進み、コースを変更する場合には（図５のステップＳ１４にて肯定判断）、未契約の場合と同様の処理に進み、図１４（ａ）に示すように、ポータルサイトのコース一覧が表示される（図５のステップＳ１５、図９のステップＳ１２１）。なお、ポータルサイトのコースとは、予めポータルサイトの内容が定められた基本的なものがいくつか用意されており、各コース毎にアクセス可能なウェブサイトの種類が異なる。【００５９】
ここで、各コースの内容を知りたい場合には、コース説明要求ボタンを選択することで（図５のステップＳ１６にて肯定判断）、各コースに予め含められているリンクの内容（ウェブサイト一覧）が表示される（図５のステップＳ１７）。なお、ここでは、「Ｓｍａｒｔ  Ｐａｃｋ」を選択したとすると（図５のステップＳ１８にて肯定判断、図９のステップＳ１２２）、図１４（ｂ）に示すように、その選択したコースに予め含まれているコンテンツの表示がなされる（図５のステップＳ１９、図９のステップＳ１２３）。【００６０】
これに対して、ユーザは、上記選択したコースの内容に不満がある場合には、コンテンツの編集要求を行う（図５のステップＳ２０にて肯定判断、図９のステップＳ１２４）。この編集要求に応じて、ポータルサイトデータ提供装置２は、図１５（ａ）に示すようなコンテンツの一覧画面を表示する（図５のステップＳ２１、図９のステップＳ１２５）。そして、これに対してユーザは、コンテンツを追加する場合には、コンテンツを選択する旨の情報をポータルサイトデータ提供装置２に入力する（図５のステップＳ２２にて肯定判断、図９のステップＳ１２６）。例えば、図１５（ａ）に示す各コンテンツの表示をマウスでクリックすることにより、現在選択しているコースの欄にチェックボックスにて選択することで、当該コースのポータルサイトに表示されるリンクを新たに追加することができる（図５のステップＳ２３）。このとき、各コンテンツの内容を知りたい場合には、図１５（ｂ）に示すように、「ｓａｍｐｌｅ」ボタンを押下することで、当該コンテンツにて表示される画面の一例や当該コンテンツの説明データが表示される。なお、このときのコンテンツデータは、はじめにポータル管理サーバ３から送信されたものでもよく、あるいは、ユーザにて選択される毎に、ポータルサイトデータ提供装置２にて表示するデータをポータル管理サーバ３から要求してもよい。なお、本実施例にてポータルサイトに追加できるコンテンツは、例えば、図１６に示すものがあり、これらはトップカテゴリーの階層下にそれぞれ位置するよう存在している。すなわち、ポータルサイトとして表示すると、まず、トップページに６つのカテゴリーが現れ、各カテゴリーを選択すると、そのカテゴリーの中で選択したメニューが現れることとなる。【００６１】
そして、ポータルサイトデータ提供装置２は、ユーザからコンテンツを選択する情報を受け取ると、これらの内容を反映したポータルサイトのメニュー、例えば、追加されたコンテンツの内容（図１７（ａ））や、これらが組み込まれたポータルサイトのメニュー一覧（図１７（ｂ））を表示する（図５のステップＳ２４、図９のステップＳ１２７）。また、さらにユーザがこれを見てコンテンツの変更を希望する際には、また、コンテンツの編集（変更）要求を入力して、上述したように、コンテンツの追加や削除を行う（図５のステップＳ２５にて否定判断）。【００６２】
そして、コンテンツの編集が終了すると、ユーザはポータルサイトデータ提供装置の画面上で、「ＯＫ」ボタンを押す。すると、図１８（ａ）又は図１８（ｂ）に示すように、ユーザが選択したポータルサイトの内容が表され、これに最終的に決定することで（図９のステップＳ１２８）、これまでに選択してきたポータルサイト、すなわち、各コンテンツサイトをメニューに含むポータルサイトが決定される（図５のステップＳ２６）。なお、このとき、最終決定前に図１９（ａ）に示すように、ユーザが使用する携帯電話の端末の種類の問い合わせ画面が表示され、これに対してユーザは端末情報を入力する。すると、かかる情報も反映された確認画面（図１８（ｂ））が表示される。【００６３】
その後、ポータルサイトデータ記憶装置２では、上記決定したポータルサイトを選定する情報、すなわち、ポータル情報がポータル管理サーバ３に登録される（図４のステップＳ４）。そして、ユーザにて決定されたポータルサイトのメニュー情報や、これに追加されるコンテンツ情報を含むポータル情報、さらには、端末情報が、ＳＩＭ  ＩＤと共にポータルサイトデータ提供装置２からポータル管理サーバに送信され（図９のステップＳ１２９）、ポータル管理サーバ３ではＳＩＭ  ＩＤと共にこれがユーザ別ポータル情報記憶部２１ｃに登録される（図９のステップＳ１３０）。そして、ポータル管理サーバ３からの応答を得ると、ポータルサイトデータ提供装置２では、ポータル管理サーバ３から送信されたポータルサイトへのＵＲＬを読み出し（図９のステップＳ１３２）、あるいは、このときに初めてポータル管理サーバ３からＵＲＬを取得し、当該ＵＲＬの末尾にＳＩＭ  ＩＤを暗号化して付加して（図９のステップＳ１３３）、ＳＩＭカードに書き込む（図９のステップＳ１３４）。これにより、ＳＩＭカードに書き込まれたＵＲＬは、末尾にＳＩＭ  ＩＤが付加されていることから、ユーザごとに固有のＵＲＬとなる。なお、このＵＲＬはポータル管理サーバにアクセスされるものである。ここで、上述したＳＩＭカードへの記録中には、ポータルサイトデータ提供装置２のディスプレイには、図１９（ｂ）に示すような画面が表示され、実際にＳＩＭカードにＵＲＬが書き込まれ（図９のステップＳ１３５）、書込みが終了した際に応答データを受信すると（図９のステップＳ１３６）、図２０（ａ）に示すような書込み終了画面が表示され、その後、図２０（ｂ）に示すように、ＳＩＭカード取り出し指示画面が表示される（図９のステップＳ１３７）。【００６４】
これにより、ポータルサイトデータ提供装置２に表示される画面を見ながら容易に自己の希望するウェブサイトを含んだポータルサイトを設定することができ、かかるサイトへのＵＲＬを自己の携帯端末のメモリ媒体に記録させることができる。従って、携帯端末の小さい操作部を操作することなく、容易かつ迅速に、かかるデータを取得することができる。【００６５】
続いて、上述したように携帯電話１のメモリ媒体に、ユーザ専用のポータルサイトへのＵＲＬを記憶した後であって、かかるＵＲＬにアクセスしたときのシステム全体の動作、及び、ポータル管理サーバ３の動作を、図１０乃至図１１、及び図６乃至図７を参照して説明する。【００６６】
その前に、ユーザにてアクセスされるまであって、上記ポータルサイトデータ提供装置に対するポータル管理サーバ３の動作を、簡単に説明する。まず、ポータル管理サーバ３は、常にポータルサイトに追加することが可能なコンテンツを受け入れている。すなわち、他のコンテンツサーバ４、具体的には、コンテンツサーバ４の運営者からのアクセスを受けて、ポータルサイト追加要求を受け付けている。そして、ある条件を満たせば、ポータルサイトに追加可能なコンテンツサイトとして登録をし、かかるコンテンツサイトのＵＲＬや、内容を表すテキストデータ、サンプル画面データなどを、コンテンツデータ記憶部３１ｄに記憶しておく（コンテンツ管理処理、図６のステップＳ３１）。そして、かかるデータは、コンテンツ管理部３２ｄで管理され、ポータルサイトデータ提供装置２に対して、当該装置２に表示される画面データやその表示を制御するプログラムと共に送信される（ポータルサイトデータ送信処理、図６のステップＳ３２）。また、上述したように、ポータルサイトデータ提供装置２から送信される各ユーザにて選択設定されたポータルサイトの内容を表すポータル情報を、受信して登録するポータル情報登録・更新処理（図６のステップＳ３３）が行われる。【００６７】
そして、その後、ユーザから携帯電話１にてアクセスがあると、当該ユーザ固有のポータルサイトを配信する処理を行う（図６のステップＳ３４）。この動作を詳述する。まず、ユーザは、携帯電話１の機能が表示されているトップメニュー表示（図１０のステップＳ１５１）の中からインターネット接続を選択すると（図１０のステップＳ１５２）、携帯電話１端末自身はＳＩＭカードから、上述したようにポータルサイトデータ提供装置２にて記録されたＵＲＬを読み出す（図１０のステップＳ１５３，Ｓ１５４）。そして、このＵＲＬに基づいて、当該ＵＲＬの接続先であるポータル管理サーバ３にアクセスする（図１０のステップＳ１５５）。なお、携帯端末の機種によってはインターネットアクセス時にＳＩＭカードに記憶されているＵＲＬを読み出さないものもあるので、上述したようにユーザにて入力された機種情報に基づいて、場合によってはポータル管理サーバ３がショートメールサービス（ＳＭＳ）やＥメールにて、上述したポータルサイトにアクセス可能なＵＲＬをユーザの携帯電話１に配信することとする。この場合には、ローカル領域に記憶されたＵＲＬを読み出し、これに基づいてアクセスする。【００６８】
そして、ポータル管理サーバ３は、携帯電話１からアクセスがあると（図７のステップＳ４１にて肯定判断）、受信したＵＲＬの末尾に含められているＳＩＭ  ＩＤを抽出する（図７のステップＳ４２，図１０のステップＳ１５６）。そして、このＳＩＭ  ＩＤを参照して、当該ＩＤを有する、あるいは、当該ＩＤに関連付けられたポータル情報を読み出す（図７のステップＳ４３，図１０のステップＳ１５７）。これにより、アクセスしてきたユーザのポータル情報を読み出すことができる。そして、読み出したポータル情報と、ポータルサイト構築データとに基づいて、ポータルサイトを構築する（図７のステップＳ４４，図１０のステップＳ１５８）。このとき、例えば、予め用意されたコースに変更が加えられていないポータルサイトであれば、かかるサイトが予めポータルサイト構築データとして用意されているので、これを用いる。また、追加コンテンツがある場合には、各コースのポータルサイトをベースにして、コンテンツデータ記憶部に記憶されているコンテンツサイトのアドレスデータであるリンクを追加して、個々のユーザに適したポータルサイトを構築する。そして、構築したポータルサイトのデータを、携帯電話１の表示部に表示するよう配信する（図７のステップＳ４５，図１０のステップＳ１５９）。このとき、上記ポータル情報には携帯電話１の機種に関する情報も含まれているので、構築する際に、各機種にて適切な画面表示となるよう画面サイズなどを調整して構築される。従って、携帯電話１では、ポータルサイトが適切に表示されることとなり、ユーザはこれを見ることができる（図１０のステップＳ１６０）。【００６９】
続いて、表示されたポータルサイトからさらに各コンテンツサイトにアクセスしたときの処理動作を説明する（図６のステップＳ３５）。まず、ユーザがポータルサイトの中からあるメニュー項目を選択し、これがサブカテゴリーであるとすると（図７のステップＳ４６にて肯定判断）、当該サブカテゴリーに含まれるコンテンツサイトを表示したサブカテゴリーのページ（サイト）をポータル情報を参照して構築する（図７のステップＳ４７）。そして、かかるページが配信される。【００７０】
その後、ポータルサイトのメインページ、あるいは、サブページに表示されているコンテンツサイトへのリンクを選択すると（図７のステップＳ４９にて肯定判断，図１１のステップＳ１７１）、携帯電話１からコンテンツを要求するデータがポータル管理サーバ３に送信され（図１１のステップＳ１７２）、これを受けたポータル管理サーバ３は、ＵＲＬからユーザのＳＩＭ  ＩＤを読み出す。このとき、既に読み出している場合には、バッファメモリ上にあるＳＩＭ  ＩＤを取得する（図１１のステップＳ１７３）。その後、選択されたコンテンツを利用する契約があるか否かを、ＳＩＭ  ＩＤと、コンテンツデータ記憶部３１ｄ内のデータとを参照して調べる（図７のステップＳ５０、図１１のステップＳ１７４）。そして、当該ユーザが契約していると判断される場合には（図５のステップＳ５１にて肯定判断）、コンテンツＵＲＬに基づいてコンテンツサーバにアクセスして、必要とされるコンテンツを取得する（図７のステップＳ５２，図１１のステップＳ１７５）。そして、そのコンテンツを携帯電話１に配信することで（図７のステップＳ５３，図１１のステップＳ１７６）、ユーザは携帯電話１の表示部を介してコンテンツを閲覧することができる（図１１のステップＳ１７７）。【００７１】
なお、上記では、コンテンツサーバから一度ポータル管理サーバにコンテンツを受信して、これを携帯電話１に配信している。このようにすることで、ポータル管理サーバ３がプロキシサーバとしての役割を果たすため、迅速なデータ送受信を行うことができ、かつ、有料のサイトである場合には、上述したように、ポータルサイトデータ提供装置２にてポータルサイトを選択する際に課金することができ、コンテンツサイトごとに契約及び課金に対応することが抑制される。【００７２】
このようにすることにより、ユーザは自己が希望するポータルサイトの内容をポータルサイトデータ提供装置にて入力することができ、そして、その内容が反映されるポータルサイトへのＵＲＬが自動的にＳＩＭカードなどの記憶媒体に記憶される。従って、目的のポータルサイトにアクセス可能なＵＲＬのみが携帯端末のメモリに記憶されることとなり、また、容易にオリジナルなポータルサイトを作成することができる。特に、自己の識別番号と共にポータルサイトへのＵＲＬを記憶しておくことで、ＵＲＬに基づいてアクセスしたときに自動的に識別データがポータル管理サーバ３に送信され、これにより、当該ポータル管理サーバ３がアクセスしてきたユーザを認識することができ、当該ユーザ固有のポータルサイトを構築して、これを配信することができるため、ユーザの利便性が増す。【００７３】
ここで、上記実施例では、ポータルサイトデータ提供装置にてユーザが選択特定するポータルサイトは、当該サイトからのリンク先であるウェブサイト（コンテンツ）までも選択できる場合を例示したが、必ずしもこれに限定されない。単に、複数のポータルサイト（当該サイトがポータル管理サーバ３にあることに限定されない）が用意されていて、このうち、一つのポータルサイトを選択し、そのＵＲＬがＳＩＭカードに記憶されてもよい。このようにしても、ユーザが希望するポータルサイトのＵＲＬを、携帯端末を操作せずに取得することができ、その後の操作が容易となる。なお、ＵＲＬが記憶される携帯電話のメモリ媒体はＳＩＭカードであることに限定されない。ＳＤカードなどの他のメモリ媒体でもよい。
【実施例２】
【００７４】
次に、本発明の第２の実施例について図２１を参照して説明する。本実施例においては、上記実施例１とは、ポータルサイトデータ提供装置２が備えるデータ読み書き手段の構成が異なる。すなわち、図２（ａ），（ｂ）に示すように、カードリーダライタ２２にて構成されておらず、例えば、携帯電話１と赤外線通信にて当該携帯電話１に内蔵されるメモリ媒体に対してデータの読み書きを行う赤外線ポート２２’（図２１（ａ）参照）などの被接触型近距離通信や、携帯電話１に備えられている接続端子に接続される接続手段２２”（図２１（ｂ）参照）などにより構成されていてもよい。このように、携帯電話１からＳＩＭカードなどのメモリ媒体を着脱することなく、ポータルサイトデータを記憶させることができるため、さらなる利便性の向上を図ることができる。
【実施例３】
【００７５】
次に、本発明の第３の実施例について説明する。本実施例においては、ポータルサイトデータ提供装置２にて携帯電話のメモリ媒体に記憶されるデータは、ポータルサイトのＵＲＬではなく、ローカルにポータルサイトを構築するポータル画面データである点で上記実施例とは異なる。【００７６】
このため、本実施例では、ポータルサイトデータ提供装置が、ポータル画面データを構築するためのポータル画面データを記憶しており、また、ユーザから入力されたポータル情報に基づいてポータル画面データを構築するポータル画面データ構築処理部がＣＰＵに構築されている。そして、この構築したポータル画面データを携帯電話１のメモリ媒体であるＳＩＭカードや、直接携帯電話に対してその内蔵メモリに記憶する。【００７７】
これにより、ユーザにて選択された種々のウェブサイトへのアドレスデータのリンクが集められたポータル画面データが構築され、これが携帯端末に記憶される。従って、自己の選択したメニューであるウェブサイトへのリンクが表示されたポータル画面が携帯端末上に表示されるため、携帯端末にて事前に操作して自己の希望するサイトへのリンクが容易さえたポータルサイトを設定しておくことなく、ネットワーク接続時に自己の利用しやすいポータル画面が表示され、これに表示されている各サイトへのアクセスが可能となる。
【産業上の利用可能性】
【００７８】
本発明によると、ユーザの携帯端末によるインターネット利用が容易になるため、本システムが設置されることによりユーザのインターネット利用の増加を図ることができ、産業上の利用可能性を有する。
【図面の簡単な説明】
【００７９】
【図１】本発明の構成を示す概略図である。
【図２】図２（ａ）は、ポータルサイトデータ提供装置の外観を示す図であり、図２（ｂ）は、その構成を示す機能ブロック図である。
【図３】ポータル管理サーバの構成を示す機能ブロック図である。
【図４】ポータルサイトデータ提供装置の動作を示すフローチャートである。
【図５】ポータルサイトデータ提供装置による処理の一部であるポータル情報編集処理の動作を示すフローチャートである。
【図６】ポータル管理サーバの動作を示すフローチャートである。
【図７】ポータル管理サーバによる処理の一部であるポータルサイト配信処理の動作を示すフローチャートである。
【図８】システム全体の動作を示すシーケンス図である。
【図９】システム全体の動作を示すシーケンス図であり、図８の続きを示すものである。
【図１０】システム全体の動作を示すシーケンス図であり、図９の続きを示すものである。
【図１１】システム全体の動作を示すシーケンス図であり、図１０の続きを示すものである。
【図１２】図１２（ａ），（ｂ）は、ポータルサイトデータ提供装置に表示される画面の一例を示す図である。
【図１３】図１３（ａ），（ｂ）は、ポータルサイトデータ提供装置に表示される画面の一例を示す図である。
【図１４】図１４（ａ），（ｂ）は、ポータルサイトデータ提供装置に表示される画面の一例を示す図である。
【図１５】図１５（ａ），（ｂ）は、ポータルサイトデータ提供装置に表示される画面の一例を示す図である。
【図１６】図１６（ａ），（ｂ）は、ポータルサイトデータ提供装置に表示される画面の一例を示す図である。
【図１７】図１７（ａ），（ｂ）は、ポータルサイトデータ提供装置に表示される画面の一例を示す図である。
【図１８】図１８（ａ），（ｂ）は、ポータルサイトデータ提供装置に表示される画面の一例を示す図である。
【図１９】図１９（ａ），（ｂ）は、ポータルサイトデータ提供装置に表示される画面の一例を示す図である。
【図２０】図２０（ａ），（ｂ）は、ポータルサイトデータ提供装置に表示される画面の一例を示す図である。
【図２１】図２１（ａ），（ｂ）は、実施例２におけるポータルサイトデータ供給装置の構成を示す概略図である。
【符号の説明】
【００８０】
１  携帯電話（携帯端末）
２  ポータルサイトデータ提供装置
３  ポータル管理サーバ
１１  ＳＩＭカード（メモリ媒体）
３１  ポータル管理データベース
【図１】
0004661779.tif 000002
【図２】
0004661779.tif 000003
【図３】
0004661779.tif 000004
【図４】
0004661779.tif 000005
【図５】
0004661779.tif 000006
【図６】
0004661779.tif 000007
【図７】
0004661779.tif 000008
【図８】
0004661779.tif 000009
【図９】
0004661779.tif 000010
【図１０】
0004661779.tif 000011
【図１１】
0004661779.tif 000012
【図１２】
0004661779.tif 000013
【図１３】
0004661779.tif 000014
【図１４】
0004661779.tif 000015
【図１５】
0004661779.tif 000016
【図１６】
0004661779.tif 000017
【図１７】
0004661779.tif 000018
【図１８】
0004661779.tif 000019
【図１９】
0004661779.tif 000020
【図２０】
0004661779.tif 000021
【図２１】
0004661779.tif 000022